(57)【特許請求の範囲】
【請求項１】
鉄骨梁の下フランジに、鉄骨梁の中心と一致する標準位置から室外側または室内側に一定距離移動させた位置にそれぞれランナーを固定することができる長さとなされたランナー固定金具を、間隔をおいて複数個取り付け、これらのランナー固定金具にわたって、鉄骨梁の中心と一致した標準位置あるいはこの標準位置から室外側または室内側に一定距離移動させた位置にランナーを固定する一方、水平部の一端に上方に向けて折曲された垂直部が形成され、他端には係止片が延設された固定金具を、ランナーの固定位置に合わせて床材に間隔をおいて複数個固定した後、ランナーに断熱内壁下地パネルの上端部を差し込んでその下端部背面を固定金具の垂直部に当接させ、固定金具の係止片を折り返して断熱内壁下地パネルに固定することを特徴とする断熱内壁下地の施工方法。
【発明の詳細な説明】
【０００１】
【発明の属する技術分野】
本発明は、断熱内壁下地の施工方法に関するものである。
【０００２】
【従来の技術】
従来、鉄骨構造の建物において、外壁にカーテンウォール構造を採用する場合、特開平８−１３６５４号公報に記載されるように、内壁の施工に際して、縦桟および横桟によって矩形に枠組みされた木製枠材の各区画された枠内部に断熱材を詰め込むとともに、その片面に防水防湿シートを貼着してなる断熱内壁下地パネルを外壁から離隔して床材に立設することにより、断熱内壁下地を形成することが提案されている。
【０００３】
この断熱内壁下地は、断熱内壁下地パネルの上端部に金具本体を固定する一方、床材に鉄骨梁に合わせてランナーを固定し、断熱内壁下地パネルの下端部をランナーに差し込むとともに、金具本体を鉄骨梁の下フランジの室内側端縁に当接させ、固定部材を金具本体を通して鉄骨梁の下フランジの室内側端縁部に噛み込ませて固定することにより形成されるものである。この結果、室内空間の断熱性を高めると同時に、外壁裏面と断熱材との間に通風空間を確保して内部結露の発生を防止するようにしている。
【０００４】
【発明が解決しようとする課題】
しかしながら、前述した断熱内壁下地を形成する場合、断熱内壁下地パネルの立設位置は、鉄骨梁に合わせて床材に固定されたランナーおよび鉄骨梁の下フランジの室内側端縁に当接する金具本体によって自動的に決定されることから、断熱内壁下地パネルを外壁により近づけて、あるいは、外壁からより離して立設するためには、外壁に対する断熱内壁下地パネルの立設位置に合わせて大きさの異なる複数種類の金具本体が必要になるものである。したがって、大きさが同じ単一の金具本体を使用するかぎり、室内空間をより広く確保しようとする場合や、和室に障子を設ける場合、あるいは、柱との関係などにより、外壁からの距離を変えて断熱内壁下地パネルを立設することは不可能である。
【０００５】
また、断熱内壁下地パネルは、前述したように、鉄骨梁を基準として位置決めされることから、その立設位置は鉄骨梁の製造上の誤差に影響されることになる。この結果、断熱内壁下地パネルの立設位置に誤差が発生することがあり、その場合には、断熱内壁下地パネルの調整作業が必要になるものである。
【０００６】
本発明は、このような問題点に鑑みてなされたもので、断熱内壁下地パネルを部品点数を増やすことなく必要に応じて標準位置およびそれ以外の他の位置に高精度に位置決めして建て込むことのできる断熱内壁下地の施工方法を提供するものである。
【０００７】
【課題を解決するための手段】
本発明は、鉄骨梁の下フランジに、鉄骨梁の中心と一致する標準位置から室外側または室内側に一定距離移動させた位置にそれぞれランナーを固定することができる長さとなされたランナー固定金具を、間隔をおいて複数個取り付け、これらのランナー固定金具にわたって、鉄骨梁の中心と一致した標準位置あるいはこの標準位置から室外側または室内側に一定距離移動させた位置にランナーを固定する一方、水平部の一端に上方に向けて折曲された垂直部が形成され、他端には係止片が延設された固定金具を、ランナーの固定位置に合わせて床材に間隔をおいて複数個固定した後、ランナーに断熱内壁下地パネルの上端部を差し込んでその下端部背面を固定金具の垂直部に当接させ、固定金具の係止片を折り返して断熱内壁下地パネルに固定することを特徴とするものである。
【０００８】
【発明の実施の形態】
以下、本発明の実施例の形態を図面に基づいて説明する。
【０００９】
図１乃至図３には、本発明の断熱内壁下地の施工方法によって形成された断熱内壁下地１が示されている。
【００１０】
この断熱内壁下地１は、鉄骨梁Ｈの下フランジｈ１に間隔をおいて取り付けられた複数個のランナー固定金具２と、これらのランナー固定金具２にわたってビスを介して固定されたランナー３と、床材Ｆにビスを介して固定された固定金具４と、これらのランナー３および固定金具４によって外壁Ｗから一定距離離れた床材Ｆ上に建て込まれた断熱内壁下地パネル５と、から構成されている。
【００１１】
まず、ランナー固定金具２は、鋼板を折り曲げて形成され、図４に示すように、取り付け部２１１、この取り付け部２１１の両端から上方に向けて折曲された垂直部２１２およびこれらの垂直部２１２の上端から外方に向けて折曲された当接部２１３を備える断面逆ハット状の下地材２１と、この下地材２１の各垂直部２１２の一端縁に連続して形成され、鉄骨梁Ｈの下フランジｈ１の端縁に係合可能な係合部２２ａを有する係合片２２と、下地材２１の各当接部２１３の他端縁に連続して形成され、上方に向けて折曲された係止片２３と、からなり、係合片２２の係合部２２ａと係止片２３との間隔は、鉄骨梁Ｈの下フランジｈ１の幅に設定されている。
【００１２】
このランナー固定金具２を鉄骨梁Ｈに取り付けるには、まず、下地材２１の当接部２１３を鉄骨梁Ｈの下フランジｈ１の下面に当接させた状態で係合片２２の係合部２２ａを鉄骨梁Ｈの下フランジｈ１の外壁側端縁に係合させた後、係止片２３を折り返して鉄骨梁Ｈの下フランジｈ１の室内側端縁に係止すればよい（図５参照）。
【００１３】
一方、ランナー３は、後述する断熱内壁下地パネル５の上端部を差し込むことができるように、断面略コ字状に形成されている。そして、ランナー３は、基準位置から設定された距離をおいてランナー固定金具２の下地材２１の取り付け部２１１に付された墨出し線に合わせてビスを介して固定されるものである。この際、ランナー３は、その中心と鉄骨梁Ｈの中心とが一致する標準位置（図６（ａ）参照）あるいはランナー固定金具２の長さの範囲内においてその標準位置から室外側または室内側に一定距離移動させた位置（図６（ｂ），（ｃ）参照）にそれぞれ固定することができる。
【００１４】
また、固定金具４は、断熱内壁下地パネル５の奥行きに相当する長さに形成された水平部４１および水平部４１の一端に上方に向けて折曲された垂直部４２によって断面Ｌ字状に折曲されており、水平部４１の他端には係止片４３が延設されている。そして、固定金具４は、前述したランナー３の固定位置に合わせて床材Ｆに付された墨出し線に沿って固定されるものであり、その垂直部４２に断熱内壁下地パネル５の下端部背面が当接するようになっている。
【００１５】
さらに、断熱内壁下地パネル５は、縦桟および横桟によって矩形に枠組みされた木製枠材５１の各区画された空間内にロックウールやグラスウールなどの断熱材５２を詰め込み、片面に防水防湿シート（図示せず）を貼着して形成されている。
【００１６】
なお、床材Ｆは、ＡＬＣ（軽量気泡コンクリート）床ｆ１と、このＡＬＣ床ｆ１の上に防湿シート（図示せず）を介して順次敷設されたパーティクルボードｆ２および床板ｆ３から構成されている（図３参照）。
【００１７】
次に、このような断熱内壁下地１を形成するには、まず、複数個のランナー固定金具２を一定間隔をおいて鉄骨梁Ｈの下フランジｈ１に取り付ける。すなわち、ランナー固定金具２の下地材２１の当接部２１３を鉄骨梁Ｈの下フランジｈ１の下面に当接させた状態で係合片２２の係合部２２ａを鉄骨梁Ｈの下フランジｈ１の外壁側端縁に係合させた後、係止片２３を鉄骨梁Ｈの下フランジｈ１の室内側端縁に折り返して係止する。
【００１８】
ランナー固定金具２が取り付けられたならば、ランナー固定金具２の下地材２１の取り付け部２１１に基準位置から設定された距離をおいて墨を打ち、その墨出し線に合わせてランナー３を配置し、ビスを介して固定する。さらに、ランナー３の固定位置に合わせて床材Ｆに墨を打ち、その墨出し線に合わせて一定間隔をおいて複数個の固定金具４をビスを介して固定する。この結果、ランナー３および固定金具４は、家を建築する際の基準位置から正確に距離をおいて位置決めされることになり、鉄骨梁Ｈを基準とする場合よりも精度を大幅に向上させることができる。
【００１９】
次いで、断熱内壁下地パネル５を把握し、その上端部をランナー３に差し込むとともに、その下端部背面を固定金具４の垂直部４２に当接させた後、固定金具４の係止片４３を上方に向けて折り返して断熱内壁下地パネル５の下端部表面に密着させ、ビスを介して固定する。以下、同様に断熱内壁下地パネル５を建て込んで区画する。
【００２０】
この際、外壁Ｗに窓を取り付けるための開口部が形成されている場合は、その開口部に合わせて開口部５ａ（図１参照）を有する断熱内壁下地パネル５から建て込む。そして、断熱内壁下地パネル５の建て込みが終了すれば、詳細には図示しないが、開口部５ａに窓額縁を嵌め込んで固定し、断熱内壁下地パネル５の開口部５ａと窓額縁の周囲との間に形成された空間に断熱材を詰め込む。その後、石膏ボードなどの内壁ボード６を取り付けた後、天井７を施工すればよい（図２および図３参照）。
【００２１】
【発明の効果】
以上のように本発明によれば、部品点数を増やすことなく断熱内壁下地パネルを標準位置もしくは標準位置以外の他の位置に高精度に位置決めして建て込むことができる。
【図面の簡単な説明】
【図１】本発明の断熱内壁下地の施工方法を示す説明図である。
【図２】本発明の断熱内壁下地の施工方法によって形成された断熱内壁下地を有する内壁の縦断面図である。
【図３】図２の内壁を一部省略して示す拡大図である。
【図４】ランナー固定金具を示す斜視図である。
【図５】鉄骨梁、ランナー固定金具およびランナーの関係を示す斜視図である。
【図６】ランナー固定金具に対するランナーの固定位置を示す断面図である。
【図７】固定金具を示す斜視図である。
【符号の説明】
１  断熱内壁下地
２  ランナー固定金具
２１  下地材
２２  係合片
２２ａ  係合部
２３  係止片
３  ランナー
４  固定金具
４１  水平部
４２  垂直部
４３  係止片
５  断熱内壁下地パネル
Ｈ  鉄骨梁
ｈ１  下フランジ
Ｗ  外壁
Ｆ  床材
【図１】
0003618921.tif 000002
【図２】
0003618921.tif 000003
【図３】
0003618921.tif 000004
【図４】
0003618921.tif 000005
【図５】
0003618921.tif 000006
【図６】
0003618921.tif 000007
【図７】
0003618921.tif 000008